(57)【要約】【課題】  光通信で受信した作動信号を伝送する第１の線路と第２の線路のそれぞれに終端抵抗を介して接地した差動伝送線路の線路異常正確に検出しなければならない。【解決手段】  線路異常検出回路は第１の線路と終端抵抗の間の電圧振幅のピーク電圧を検出するピーク検出手段と、ピーク検出手段の出力と基準となる第１の電圧と比較する第１比較手段と、第１の線路と終端抵抗の間の電圧振幅のボトム電圧を検出するボトム検出手段と、ボトム検出手段の出力と基準となる第２の電圧と比較する第２比較手段と、第１比較手段と第２比較手段からの信号を検出した際に、信号を保持する信号保持手段から構成する。【選択図】図５
2008085397.tif 000002
【特許請求の範囲】
【請求項１】
作動信号を伝送する第１の線路と第２の線路のそれぞれに終端抵抗を介してアースに接続した差動伝送線路の線路異常を検出する線路異常検出回路において、
該第１の線路と終端抵抗の間の電圧振幅のピーク電圧を検出するピーク検出手段と、
該ピーク検出手段の出力と基準となる第１の電圧と比較する第１比較手段と、
該第１の線路と終端抵抗の間の電圧振幅のボトム電圧を検出するボトム検出手段と、
該ボトム検出手段の出力と基準となる第２の電圧と比較する第２比較手段と、
該第１比較手段と該第２比較手段からの信号を検出した際に、該信号を保持する信号保持手段を設けたことを特徴とする線路異常検出回路。
【請求項２】
請求項１記載の線路異常検出回路において、該ピーク検出手段は入力部にアノードを接続した第１のダイオードと、カソードを接続した第２のダイオードを設け、該第２のダイオードのアノードを接地し、該第１のダイオードのカソードを出力とする回路であることを特徴とする線路異常検出回路。
【請求項３】
請求項１記載の線路異常検出回路において、該ボトム検出手段は該第１の線路からの信号電圧を反転増幅する第１の回路と、該第１の回路からの信号電圧を該第２の線路からの信号電圧によりスイッチする第２の回路と、該第２の回路の出力を入力する入力部と該入力部にアノードを接続した第１のダイオードと、カソードを接続した第２のダイオードを設け該第２のダイオードのアノードを接地し、該第１のダイオードのカソードを出力とする第３の回路を有することを特徴とする線路異常検出回路。
【請求項４】
作動信号を伝送する第１の線路と第２の線路のそれぞれに終端抵抗を介してアースに接続した差動伝送線路の線路異常を検出する線路異常検出回路において、
該第１の線路と終端抵抗の間の電圧振幅を検出する第１の電圧振幅検出手段と、
該第２の線路と終端抵抗の間の電圧振幅を検出する第２の電圧振幅検出手段と、
該第１の電圧振幅検出手段と該第２の電圧振幅検出手段の差を比較する第１比較手段と、
該第１比較手段の出力電圧を第１の基準電圧と比較する第２比較手段と、
該第１比較手段の出力電圧を第２の基準電圧と比較する第３比較手段と、
該第２比較手段と該第３比較手段からの信号を検出した際に、該信号を保持する信号保持手段を設けたことを特徴とする線路異常検出回路。
【請求項５】
請求項４記載の線路異常検出回路において、該第１の電圧振幅検出手段と該第２の電圧振幅検出手段は入力部にアノードを接続した第１のダイオードとカソードを接続した第２のダイオードを設け、該第２のダイオードのアノードを接地し、該第１のダイオードのカソードを出力とする回路であることを特徴とする線路異常検出回路。
【発明の詳細な説明】
【技術分野】
【０００１】
本発明は、インピーダンス調整を必要とする２つの伝送線路からなる差動伝送線路に適用される。
【背景技術】
【０００２】
近年、ブロードバンドなどで光ファイバ伝送の需要が高まり、光ファイバ伝送を行う装置内で、高速信号を安定に伝送する技術としての差動信号伝送の使用領域が大幅に拡大している。差動伝送線路では差動信号を２つの信号線路にそれぞれ伝送することで、同相入力の雑音の影響を受けにくくしている。差動伝送線路を用いた一例として、光トランシーバとメディアコンバータを接続した構成が挙げられる。メディアコンバータはルータ（ＩＰスイッチ）やブリッジ（Ｌ２スイッチ）の入出力ポートに設けられている。メディアコンバータはルータやブリッジと一体になった構成や、光トランシーバとメディアコンバータを一体化した構成が有る。
【０００３】
図１に光トランシーバと差動伝送線路とメディアコンバータ等の伝送装置の関係を示す。１は光トランシーバを示す。
２はメディアコンバータ等の伝送装置を示す。３ａないし３ｄは終端抵抗を示す。４ａ、４ｂと５ａ、５ｂは伝送用の線路を示す。１１は光受信回路を示す。１２は光送信回路を示す。１１ａは受光素子を示す。１２ａは発光素子を示す。
【０００４】
受光素子１１ａで入力された光は光受信回路１２で増幅されるとともに、差動信号として伝送用の線路４ａ、４ｂに出力される。線路４ｂには線路４ａ反転した信号が与えられている。この様な差動信号を伝送用の線路４ａ、４ｂに与えることで、差動伝送路４を構成する。伝送用の線路４ａ、４ｂは終端抵抗３ａと３ｂとアースによりインピーダンス整合される。インピーダンス整合された伝送用の線路４ａ、４ｂは伝送装置２に接続される。
【０００５】
伝送装置２からの差動信号はインピーダンス整合された伝送用の線路５ａ、５ｂに供給される。線路５ａ、５ｂは差動伝送路５を構成する。インピーダンス整合は伝送用の線路５ａ、５ｂに接続された終端抵抗３ａと３ｂとアースにより行われる。伝送用の線路５ａ、５ｂからの差動信号は送信回路１２に入力される。送信回路１２は供給された差動信号を基に発光素子１２ａ、例えばレーザーを発光させる。
【０００６】
差動伝送線路において、線路異常を検出する技術として、特許文献１および特許文献２が知られている。
【特許文献１】特開昭５３―１３２９３４号公報
【特許文献２】特開平７―２１０４１０号公報
【発明の開示】
【発明が解決しようとする課題】
【０００７】
差動伝送路そのものに障害が発生した場合は伝送装置側に信号が受信されなくなるため、障害を容易に確認することができる。しかしながら、差動伝送路に接続された終端抵抗とアース間で障害が発生した場合、伝送装置２側では伝送路異常と認識できない。その理由としては、伝送装置２は差動伝送路４を構成する線路４ａ，４ｂの両方から信号が受信できるためである。
【０００８】
本発明の目的は、インピーダンス調整を必要とする２つの伝送線路からなる差動伝送線路において、インピーダンス整合をとるため、線路とアースの間に設けられた終端抵抗で障害が発生した場合においても線路異常を検出する技術を提供することである。
【課題を解決するための手段】
【０００９】
本発明は、上述した課題を解決するために、以下の手段を採用する。
【００１０】
本発明の第１の手段として、作動信号を伝送する第１の線路と第２の線路のそれぞれに終端抵抗を介してアースに接続した差動伝送線路の線路異常を検出する線路異常検出回路において、該第１の線路と終端抵抗の間の電圧振幅のピーク電圧を検出するピーク検出手段と、該ピーク検出手段の出力と基準となる第１の電圧と比較する第１比較手段と、該第１の線路と終端抵抗の間の電圧振幅のボトム電圧を検出するボトム検出手段と、該ボトム検出手段の出力と基準となる第２の電圧と比較する第２比較手段と、該第１比較手段と該第２比較手段からの信号を検出した際に、該信号を保持する信号保持手段を設ける。
【００１１】
本発明の第２の手段として、第１の手段において、該ピーク検出手段は入力部にアノードを接続した第１のダイオードと、カソードを接続した第２のダイオードを設け、該第２のダイオードのアノードを接地し、該第１のダイオードのカソードを出力とする回路を構成する。
【００１２】
本発明の第３の手段として、第１の手段において、該ボトム検出手段は該第１の線路からの信号電圧を反転増幅する第１の回路と、該第１の回路からの信号電圧を該第２の線路からの信号電圧によりスイッチする第２の回路と、該第２の回路の出力を入力する入力部と該入力部にアノードを接続した第１のダイオードと、カソードを接続した第２のダイオードを設け該第２のダイオードのアノードを接地し、該第１のダイオードのカソードを出力とする第３の回路を設ける。
【００１３】
本発明の第４の手段として、作動信号を伝送する第１の線路と第２の線路のそれぞれに終端抵抗を介してアースに接続した差動伝送線路の線路異常を検出する線路異常検出回路において、該第１の線路と終端抵抗の間の電圧振幅を検出する第１の電圧振幅検出手段と、該第２の線路と終端抵抗の間の電圧振幅を検出する第２の電圧振幅検出手段と、該第１の電圧振幅検出手段と該第２の電圧振幅検出手段の差を比較する第１比較手段と、該第１比較手段の出力電圧を第１の基準電圧と比較する第２比較手段と、該第１比較手段の出力電圧を第２の基準電圧と比較する第３比較手段と、該第２比較手段と該第３比較手段からの信号を検出した際に、該信号を保持する信号保持手段を設ける。
【００１４】
本発明の第５の手段として、第３の手段において、該第１の電圧振幅検出手段と該第２の電圧振幅検出手段は入力部にアノードを接続した第１のダイオードとカソードを接続した第２のダイオードを設け、該第２のダイオードのアノードを接地し、該第１のダイオードのカソードを出力とする回路を構成する。
【発明の効果】
【００１５】
本発明によれば、インピーダンス調整を必要とする２つの伝送線路からなる差動伝送線路において、インピーダンス整合をとるため、線路とアースの間に設けられた終端抵抗で障害が発生しても線路異常を検出することができる。
【発明を実施するための最良の形態】
【００１６】
以下、図面を参照して本発明の実施形態について説明する。実施形態の構成は例示であり、本発明は実施形態の構成に限定されない。
【００１７】
本発明で検出する障害の例を図２、図３、図４を用いて説明する。図２に差動伝送路とアース間に設けた終端抵抗３ａ、３ｂの障害の例を示す。図２では図１と同一部材は同一番号を付加することで、その説明を省略する。図２（ａ）は終端抵抗３ａが壊れアースに直結になった例を示す。図２（ｂ）は終端抵抗３ａ  とアースの間３ｃのところで切れている例を示す。図３は図２（ａ）のような終端抵抗が短絡された場合の特性を示す。
図３（ａ）は図２の受信回路から差動伝送路４の線路４ａに送られた信号を示す。図３（ｂ）は信号がアースの点で反射することで、振幅が反転し、位相がずれた信号を発生させている状態を示す。図３（ｃ）は図２の伝送装置２に入力される信号を示す。この図３（ｃ）の信号は線路４ａ内を伝送した図３の（ａ）と、反射で戻ってきた図３の（ｂ）の信号が合成された信号である。図３（ｄ）は正常時のアイパターンを示す。図３（ｅ）は図２（ａ）のような終端抵抗３ａが短絡された場合のアイパターンを示す。図３（ｃ），（ｅ）からは基の信号より全体の信号レベルが低下し、アイの開口が狭まっていることが判る。従って、このような障害を検出するためには、アイパターンの中心部のピーク電圧が低下することを検出すれば障害が発生していることがわかる。
図４に図２（ｂ）のような終端抵抗とアース間が切断された場合の特性を示す。図４（ａ）は図２の受信回路から差動伝送路４の線路４ａに送られた信号である。図４（ｂ）は信号が終端抵抗３ａでレベルが低下し、位相をずれた信号を発生させている状態を示す。図４（ｃ）は図２の伝送装置２に入力される信号を示す。この図４（ｃ）の信号は線路４ａ内を伝送した図４の（ａ）と図４の（ｂ）の信号が合成された信号である。図４（ｄ）は正常時のアイパターンを示す。図４（ｅ）は図２（ａ）のような終端抵抗とアース間が切断された場合のアイパターンを示す。図４（ｃ），（ｅ）からは基の信号より全体の信号レベルが上昇し、位相によりアイの開口が狭まっていることが判る。従って、このような障害を検出するためには、アイパターンの中心部のピーク電圧が上昇することを検出すれば障害が発生することがわかる。
【実施例１】
【００１８】
上記の電圧波形の特性から、差動増幅伝送路の端部にアイパターンの中心部の電圧が通常よりも高いか、低いかを検出するための回路を設けることで、終端抵抗での障害を検出することができる。
図５に、上記の原理を用いた、線路異常検出回路の具体的な構成を示す。図５において、図１と同一部材は同一番号を付し、その説明は省略する。
図５は図１の差動伝送路の第１の線路の異常を検出する線路異常検出回路６００と、第２の線路の異常を検出する線路異常検出回路５００が示される。線路異常検出回路５００、６００は、ピーク検出手段５１０、６１０、と、第１比較手段５３０、６３０と、ボトム検出手段５２０，６２０と、第２比較手段５４０、６４０と、信号保持手段５５０、６５０とをそれぞれ有する。線路異常検出回路５００と線路異常検出回路６００は同一名称の各手段は同一の機能であるため、線路異常検出回路５００で代表して、以下に各手段について説明を行う。
【００１９】
［ピーク検出手段］
ピーク検出手段５１０は第２の線路と終端抵抗３ｂの接続点を入力とし、信号電圧のバイアス成分を切り取り、信号の振幅を出力する。具体的な回路構成は後に図６を用いて説明する。
【００２０】
［第１比較手段］
第１比較手段５３０はピーク検出手段５１０の出力と基準となる第１の電圧５３１と比較する。具体的には第１比較手段５３０はオペレーションアンプで構成される。オペレーションアンプの非反転入力端子にはピーク検出手段５１０の出力が入力される。オペレーションアンプの反転入力端子には第１の基準電圧５３１が入力される。オペレーションアンプの出力端子からはピーク検出手段５１０の出力が第１の基準電圧５３１の値を超えると電圧が出力される。第１の基準電圧５３１は光受信回路１１から出力される電圧よりも高い電圧に設定される。このように電圧設定することで、図２（ｂ）のような障害で、図４のような信号が第２の線路４ｂで発生した場合に異常と判断できる。第１比較手段５３０の出力は信号保持手段５５０に入力される。
【００２１】
［ボトム検出手段］
ボトム検出手段５２０はピーク検出手段５１０と同様に第２の線路と終端抵抗３ｂの接続点を入力とする。ボトム検出手段５２０は、信号反転回路５２１と、スイッチ５２２と、振幅検出回路５２３から構成される。信号反転回路５２１はボトム検出手段５２０に有力される信号電圧を反転させる。信号反転回路５２１の出力はスイッチ５２２に入力される。スイッチ５２２は、第１の線路を流れる信号のローレベルで、信号反転回路５２１の出力を通過させる。さらに、第１の線路を流れる信号のハイレベルで、信号反転回路５２１の出力を遮断する。スイッチ５２２の出力は振幅検出回路５２３に入力される。振幅検出回路５２３はスイッチ５２２からの信号電圧のバイアス成分を切り取り、信号の振幅を出力する。具体的な回路構成は後に図６を用いて説明する。振幅検出回路５２３の出力は第２比較手段に入力される。
【００２２】
［第２比較手段］
第２比較手段５４０はボトム検出手段５２０の出力（振幅検出回路５２３の出力）と基準となる第２の電圧５４１と比較する。具体的には第２比較手段５４０はオペレーションアンプで構成される。オペレーションアンプの非反転入力端子にはボトム検出手段５２０の出力が入力される。オペレーションアンプの反転入力端子には第２の基準電圧５４１が入力される。オペレーションアンプの出力端子からはボトム検出手段５２０の出力が第２の基準電圧５３１の値を超えると電圧が出力される。第２の基準電圧５４１は光受信回路１１から出力される電圧よりも引くい電圧に設定される。このように電圧設定することで、図２（ａ）のような障害で、図３のような信号が第２の線路４ｂで発生した場合に異常と判断できる。第２比較手段５４０の出力は信号保持手段５５０に入力される。
【００２３】
［信号保持手段］
信号保持手段５５０は第１比較手段５３０と第２比較手段５４０の出力を入力する。具体的には、第１比較手段５３０と第２比較手段５４０からの信号はオアゲート５５１に入力される。オアゲート５５１は第１比較手段５３０と第２比較手段５４０からのハイの信号が入力されたときに出力をハイにする。オアゲート５５１の出力はフィリップフロップ回路５５２に入力される。フィリップフロップ回路５５２はオアゲート５５１からのハイの出力を保持して出力する。
【００２４】
［ピーク検出手段と振幅検出回路の具体的構成］
図６にピーク検出手段と振幅検出回路の具体的構成を示す。ピーク検出手段５１０と振幅検出回路５２３は同じ回路で構成される。ピーク検出手段５１０と振幅検出回路５２３の入力にカソードを接続した第１のダイオード７００と当該入力にアノードを接続した第２のダイオードを有する。第１のダイオード７００のアノードはアースに接続される。第２のダイオード７０１のカソードはピーク検出手段と振幅検出回路の出力となる。第１のダイオード７００に逆バイアスがかかることで、入力信号電圧のバイアス成分がアース電位に張り付き、入力電圧の振幅値が出力電圧として取り出すことができる。
【００２５】
［図２（ａ）の障害検出プロセス］
図７は図２（ａ）の障害を検出するプロセスを説明する図である。図７の各波形を図５の各ブロックと関係付けて説明する。電圧波形７１ａないし電圧波形７８ａは図２（ａ）の障害が発生した場合の電圧波形である。
【００２６】
受信回路１１からは電圧波形７１ａが出力される。電圧波形７２ａは第２の線路と終端抵抗３ｂの接続点の電圧を示す。電圧波形７２ａはボトム検出手段５２０の信号反転回路５２１に入力されることにより電圧波形７３ａを出力する。電圧波形７４ａは第１の線路の信号を示す。電圧波形７４ａがローレベルのときスイッチ５２２はオンし、信号反転回路５２１の電圧信号を振幅検出回路５２３に出力する。電圧波形７４ａがハイレベルのときスイッチ５２２はオフされ、振幅検出回路５２３に電圧は入力されない。スイッチ５２２の電圧出力波形を７５ａに示す。出力波形７５ａの電圧は振幅検出回路５２３に入力される。振幅検出回路５２３は電圧出力波形を７５ａのバイアス電圧成分をカットし、振幅成分のみを取り出した電圧出力波形７６ａを出力する。電圧出力波形７６ａは第２比較手段５４０の非反転入力端子に入力される。第２比較手段５４０は電圧出力波形７６ａと第２の基準電圧５４１と電圧を比較し、電圧出力波形７７ａを出力する。電圧出力波形７７ａはオアゲート５５１を介して、フリップフロップ５５２に入力され信号を保持され、電圧出力波形７８ａを出力する。
【００２７】
電圧波形７１ｂないし電圧波形７８ｂは図２（ａ）の障害が発生していない場合の電圧波形である。受信回路１１からは電圧波形７１ｂが出力される。電圧波形７２ｂは第２の線路と終端抵抗３ｂの接続点の電圧を示す。電圧波形７２ｂはボトム検出手段５２０の信号反転回路５２１に入力されることにより電圧波形７３ｂを出力する。電圧波形７４ｂは第１の線路の信号を示す。電圧波形７４ｂがローレベルのときスイッチ５２２はオンし、信号反転回路５２１の電圧信号を振幅検出回路５２３に出力する。電圧波形７４ａがハイレベルのときスイッチ５２２はオフされ、振幅検出回路５２３に電圧は入力されない。スイッチ５２２の電圧出力波形を７５ｂに示す。出力波形７５ｂの電圧は振幅検出回路５２３に入力される。振幅検出回路５２３は電圧出力波形を７５ｂの電圧は変化がないので、アースの電位に張り付く形になり電圧出力波形７６ｂは何も出力されない。電圧出力波形７６ｂは第２比較手段５４０の非反転入力端子に入力される。第２比較手段５４０は電圧出力波形７６ｂと第１の基準電圧５３１と電圧を比較する。電圧出力波形７６ｂは第２の基準電圧５４１より低いので、何も出力されない。無信号の電圧出力波形７７ｂはオアゲート５５１を介して、フリップフロップ５５２に入力され信号を保持される。
【００２８】
［図２（ｂ）の障害検出プロセス］
図８は図２（ｂ）の障害を検出するプロセスを説明する図である。以下に、図８の各波形を図５の各ブロックと関係付けて説明する。電圧波形８１ａないし電圧波形８５ａは図２（ｂ）の障害が発生した場合の電圧波形である。
【００２９】
受信回路１１からは電圧波形８１ａが出力される。電圧波形８２ａは第２の線路と終端抵抗３ｂの接続点の電圧を示す。電圧波形８２ａはピーク検出手段５１０に入力されることにより電圧波形８３ａを出力する。ピーク検出手段５１０は電圧出力波形を８２ａのバイアス電圧成分をカットし、振幅成分のみを取り出した電圧出力波形８３ａを出力する。電圧出力波形８３ａは第１比較手段５３０の非反転入力端子に入力される。第１比較手段５３０は電圧出力波形７６ａと第１の基準電圧５３１と電圧を比較し、電圧出力波形８４ａを出力する。電圧出力波形８４ａはオアゲート５５１を介して、フリップフロップ５５２に入力され信号を保持され、電圧出力波形８５ａを出力する。
【００３０】
電圧波形８１ｂないし電圧波形８５ｂは図２（ｂ）の正常の場合の電圧波形である。受信回路１１からは電圧波形８１ｂが出力される。電圧波形８２ｂは第２の線路と終端抵抗３ｂの接続点の電圧を示す。電圧波形８２ｂはピーク検出手段５１０に入力されることにより電圧波形８３ｂ（無信号）を出力する。ピーク検出手段５１０は電圧出力波形を８２ａのバイアス電圧成分をカットするため、振幅成分の変化の無い８２ｂはピーク検出手段５１０から電圧出力が無い状態となる。したがって、以降の回路では信号が出力されない。
【００３１】
以上、第１の実施例について線路異常検出回路５００を用いて説明した。線路異常検出回路５００と線路異常検出回路６００の相違点は、線路異常検出回路５００が第２の線路の異常を検出するし、線路異常検出回路６００が第１の線路の異常を検出する点である。したがって、線路異常検出回路５００はピーク検出手段５１０とボトム検出手段５２０の信号反転回路５２１には第２の線路の電圧が入力され、線路異常検出回路６００はピーク検出手段６１０とボトム検出手段６２０の信号反転回路６２１には第１の線路の電圧が入力される。
【実施例２】
【００３２】
図３および図４の電圧波形からは終端抵抗に異常が生じた場合、短絡しても断線しても、通常の電圧値と異なる電圧値をとることが判る。他方の線路が正常だと仮定すると、線路間の電圧の状態を比較することで、線路異常を検出できることになる。図９に、線路間の電圧の状態を比較する線路異常検出回路の具体的な構成を示す。線路異常検出回路は第１の電圧振幅検出手段と、第２の電圧振幅検出手段と、１比較手と、第２比較手と、第３比較手段と、信号保持手段から構成される。以下に各部の構成について述べる。なお、図９において図１と同一部材は同一番号を付し、その説明を省略する。
【００３３】
［第１の電圧振幅検出手段］
第１の電圧振幅検出手段８１０は図６の回路構成で構成される。第１の電圧振幅検出手段８１０の入力部には第１の線路４ａからの電圧が入力される。入力した電圧波形のバイアス電位はカットされ、振幅電圧が出力される。
【００３４】
［第２の電圧振幅検出手段］
第２の電圧振幅検出手段８２０は図６の回路構成で構成される。第２の電圧振幅検出手段８２０の入力部には第２の線路４ｂからの電圧が入力される。入力した電圧波形のバイアス電位はカットされ、振幅電圧が出力される。
【００３５】
［第１比較手］
第１比較手段８３０はオペレーションアンプで構成される。オペレーションアンプの非反転入力端子には第１の電圧振幅検出手段の出力が入力される。オペレーションアンプの反転入力端子には第２の電圧振幅検出手段の出力が入力される。オペレーションアンプは第１の電圧振幅検出手段からの電圧値と第２の電圧振幅検出手段からの電圧値を比較した結果を出力端子から出力する。出力端子からの出力特性を図１０に示す。
【００３６】
［第２比較手段］
第２比較手段８４０はオペレーションアンプで構成される。オペレーションアンプの非反転入力端子には第１比較手段の出力が入力される。オペレーションアンプの反転入力端子には第１の基準電圧が入力される。第１の基準電圧の電圧値は図１０のＶ１の電圧の値である。第１比較手段の電圧が第１の基準電圧Ｖ１を超えると第２比較手段８４０の出力端子から電圧が出力される。
【００３７】
［第３比較手段］
第３比較手段８５０はオペレーションアンプで構成される。オペレーションアンプの反転入力端子には第１比較手段の出力が入力される。オペレーションアンプの非反転入力端子には第２の基準電圧が入力される。第２の基準電圧の電圧値は図１０のＶ２の電圧の値である。第１比較手段の電圧が第２の基準電圧Ｖ２を下回ると第３比較手段８５０の出力端子から電圧が出力される。
【００３８】
［信号保持手段］
信号保持手段８６０は第２比較手段８４０と第３比較手段８５０の出力を入力する。具体的には、第２比較手段８４０と第２比較手段８５０からの信号はオアゲート８６１に入力される。オアゲート８６１は第２比較手段８４０と第３比較手段８５０からのハイの信号が入力されたときに出力をハイにする。オアゲート８６０の出力はフィリップフロップ回路８６２に入力される。フィリップフロップ回路８６２はオアゲート８６１からのハイの出力を保持して出力する。
【００３９】
本発明によれば、インピーダンス調整を必要とする２つの伝送線路からなる差動伝送線路において、インピーダンス整合をとるため、線路とアースの間に設けられた終端抵抗で障害が発生しても、線路の電圧波形を基準電圧と比較することで、線路異常を検出することができる。また、線路間の電圧波形を比較することでも線路異常を検出することができる。
【図面の簡単な説明】
【００４０】
【図１】光トランシーバと差動伝送線路と伝送装置の関係を示す図
【図２】差動伝送路とアース間に設けた終端抵抗３ａ、３ｂの障害の例を示す図
【図３】終端抵抗が短絡された場合の特性を示す図
【図４】終端抵抗とアース間が切断された場合の特性を示す図
【図５】線路異常検出回路の具体的な構成を示す図
【図６】ピーク検出手段と振幅検出回路の具体的構成を示す図
【図７】線路異常検出回路の各ブロックの信号出力波形を示す図
【図８】線路異常検出回路の各ブロックの信号出力波形を示す図
【図９】線路異常検出回路の具体的な構成を示す図
【図１０】線路異常検出回路の特性を示す図
【符号の説明】
【００４１】
２  伝送装置
３ａ、３ｂ  終端抵抗
４  差動伝送路
４ａ  第１の線路
４ｂ  第２の線路
１１  受信回路
５１０  ピーク検出手段
５２０  ボトム検出手段
５３０  第１比較器
５４０  第２比較器
５５０  信号保持手段
【図１】
2008085397.tif 000003
【図２】
2008085397.tif 000004
【図３】
2008085397.tif 000005
【図４】
2008085397.tif 000006
【図５】
2008085397.tif 000007
【図６】
2008085397.tif 000008
【図７】
2008085397.tif 000009
【図８】
2008085397.tif 000010
【図９】
2008085397.tif 000011
【図１０】
2008085397.tif 000012